(57)【要約】【課題】電気部品を基板に表面実装する場合に、基板上の電気部品の姿勢のずれを防止できる電気部品実装構造および基板を提供する。【解決手段】本発明にかかる電気部品実装構造１００は、所定のコネクタ１０４ａ〜１０４ｆと、コネクタが表面実装される基板１０２とを備える電気部品実装構造において、コネクタは、基板に向かって延びる２列に配列された複数の端子１２２ａ〜１２２ｅ、１２４ａ〜１２４ｅを有し、基板は、端子に対応して２列に配列されたランド群１２６であって、所定のはんだ１２８を介して端子が取付けられるランド群を有し、ランド群は、四隅に位置する４つの端部ランド１３０、１３２、１３４、１３６と、端部ランドを除く複数の中間ランド１２２ａ〜１２２ｅ、１２４ａ〜１２４ｅと、を含み、４つの端部ランドのうち少なくとも２つは、中間ランドよりも小さくなっている。【選択図】図３
2018098277.tif 000002
【特許請求の範囲】
【請求項１】
所定の電気部品と、該電気部品が表面実装される基板とを備える電気部品実装構造において、
前記電気部品は、前記基板に向かって延びる２列に配列された複数の端子を有し、
前記基板は、前記端子に対応して２列に配列されたランド群であって、所定の鑞を介して前記端子が取付けられるランド群を有し、
前記ランド群は、四隅に位置する４つの端部ランドと、該端部ランドを除く複数の中間ランドとを含み、
前記４つの端部ランドのうち少なくとも２つは、前記中間ランドよりも小さくなっていることを特徴とする電気部品実装構造。
【請求項２】
前記少なくとも２つの端部ランドの列方向の寸法が、前記中間ランドの前記列方向の寸法よりも小さいことを特徴とする請求項１に記載の電気部品実装構造。
【請求項３】
前記少なくとも２つの端部ランドの列方向に直交する方向の寸法が、前記中間ランドの前記直交する方向の寸法よりも小さいことを特徴とする請求項１または２に記載の電気部品実装構造。
【請求項４】
所定の電気部品が表面実装される基板において、
前記基板は、所定の鑞を介して端子を取付可能な２列に配列されたランド群を有し、
前記ランド群は、四隅に位置する４つの端部ランドと、該端部ランドを除く複数の中間ランドとを含み、
前記４つの端部ランドのうち少なくとも２つは、前記中間ランドよりも小さくなっていることを特徴とする基板。
【請求項５】
前記少なくとも２つの端部ランドの列方向の寸法が、前記中間ランドの前記列方向の寸法よりも小さいことを特徴とする請求項４に記載の基板。
【請求項６】
前記少なくとも２つの端部ランドの列方向に直交する方向の寸法が、前記中間ランドの前記直交する方向の寸法よりも小さいことを特徴とする請求項４または５に記載の基板。
【発明の詳細な説明】
【技術分野】
【０００１】
本発明は、電気部品実装構造および基板に関するものである。
【背景技術】
【０００２】
各種電子機器には、回路基板などが組み込まれている。回路基板には、所定の電気部品が表面実装されている。特許文献１には、基板に表面実装される所定の電気部品として、表面実装型電気コネクタが記載されている。
【０００３】
特許文献１に記載の表面実装型電気コネクタは、絶縁ハウジングと、絶縁ハウジングの内部に列状に配列された複数の端子とを有する。複数の端子は、基板の表面に形成された内側列と外側列のパッドにそれぞれ半田付け接続される。複数の端子のうち外側列のパッドに接続される端子は、アーム部を有し、アーム部によって内側列のパッド形成面から離して外方へ延びた後、急角度で外側列のパッド面に導かれている。
【０００４】
特許文献１では、外側列のパッドに接続された端子のアーム部が、内側列のパッド形成面から離れているため、外側列のパッドに用いた半田が、アーム部を介して隣接する内側列のパッドに漏れることを防止できる、としている。
【先行技術文献】
【特許文献】
【０００５】
【特許文献１】特開平８−１２４６３７号公報
【発明の概要】
【発明が解決しようとする課題】
【０００６】
特許文献１に記載の技術のように、コネクタなどの所定の電気部品を基板に表面実装する場合には、鑞（例えばはんだ）を用いて基板表面の複数のパッド（以下、ランド群）に電気部品の端子を取付ける。しかし、この技術では、鑞の溶融時、すなわち鑞が固化する前の液状を保っているわずかな時間に端子がランド上を移動し、ランド群に対する電気部品の姿勢が、正規の姿勢からずれてしまう可能性がある。
【０００７】
このため、複数の電気部品を基板に配列し実装する場合、ランド群に対する個々の電気部品の姿勢がずれてしまうと、複数の電気部品を一括で１つの他の部品（ソケットなど）に組み付けることが困難となる。
【０００８】
本発明は、このような課題に鑑み、電気部品を基板に表面実装する場合に、基板上の電気部品の姿勢のずれを防止できる電気部品実装構造および基板を提供することを目的としている。
【課題を解決するための手段】
【０００９】
上記課題を解決するために、本発明にかかる電気部品実装構造の代表的な構成は、所定の電気部品と、電気部品が表面実装される基板とを備える電気部品実装構造において、電気部品は、基板に向かって延びる２列に配列された複数の端子を有し、基板は、端子に対応して２列に配列されたランド群であって、所定の鑞を介して端子が取付けられるランド群を有し、ランド群は、四隅に位置する４つの端部ランドと、端部ランドを除く複数の中間ランドとを含み、４つの端部ランドのうち少なくとも２つは、中間ランドよりも小さくなっていることを特徴とする。
【００１０】
上記課題を解決するために、本発明にかかる基板の代表的な構成は、所定の電気部品が表面実装される基板において、基板は、所定の鑞を介して端子を取付可能な２列に配列されたランド群を有し、ランド群は、四隅に位置する４つの端部ランドと、端部ランドを除く複数の中間ランドとを含み、４つの端部ランドのうち少なくとも２つは、中間ランドよりも小さくなっていることを特徴とする。
【発明の効果】
【００１１】
本発明によれば、電気部品を基板に表面実装する場合に、基板上の電気部品の姿勢のずれを防止できる電気部品実装構造および基板を提供することができる。
【図面の簡単な説明】
【００１２】
【図１】本発明の実施例に係る電気部品実装構造を示す図である。
【図２】図１の電気部品実装構造の基板の一部を拡大して示す図である。
【図３】図２の基板の一部にコネクタが表面実装された状態を示す図である。
【図４】図３（ａ）の電気部品実装構造の各断面を示す図である。
【図５】図２の基板の一部と比較される比較例の基板の一部を示す図である。
【図６】図５の基板の一部にコネクタが表面実装された状態を示す図である。
【図７】図２の基板の一部の変形例を示す図である。
【図８】図２の基板の一部の他の変形例を示す図である。
【図９】図３のコネクタの端子と基板の一部とのはんだによる接合状態を示す図である。
【図１０】図９の端部ランドと比較される比較例の端部ランドを示す図である。
【発明を実施するための形態】
【００１３】
本発明の一実施の形態に係る電気部品実装構造の代表的な構成は、所定の電気部品と、電気部品が表面実装される基板とを備える電気部品実装構造において、電気部品は、基板に向かって延びる２列に配列された複数の端子を有し、基板は、端子に対応して２列に配列されたランド群であって、所定の鑞を介して端子が取付けられるランド群を有し、ランド群は、四隅に位置する４つの端部ランドと、端部ランドを除く複数の中間ランドとを含み、４つの端部ランドのうち少なくとも２つは、中間ランドよりも小さくなっていることを特徴とする。
【００１４】
ここで電気部品（例えばコネクタ）を基板に表面実装する場合には、鑞（例えばはんだ）を用いて基板表面のランド群に電気部品の端子を取付ける。そのため、鑞の溶融時、すなわち鑞が固化する前の液状を保っているわずかな時間に端子がランド上を移動し、ランド群に対する電気部品の姿勢が、正規の姿勢からずれてしまう可能性がある。このため、例えば複数の電気部品を基板に配列し実装する場合、ランド群に対する個々の電気部品の姿勢がずれてしまうと、複数の電気部品を一括で１つの他の部品（ソケットなど）に組み付けることが困難となる。
【００１５】
そこで本発明では、電気部品の端子に対応して２列に配列されたランド群のうち、四隅に位置する４つの端部ランドの少なくとも２つを、四隅以外に位置する中間ランドよりも小さくした。このため、上記少なくとも２つの端部ランドでは、鑞の溶融時にそれら端部ランド上を端子が移動しようとしても、中間ランドよりも小さい端部ランドの境界線（輪郭線）によって直ちにせき止められ、端子の移動範囲が制限される。したがって上記構成によれば、電気部品を基板に表面実装する場合に、基板上の電気部品の姿勢のずれを防止できる。
【００１６】
なお中間ランドよりも小さい端部ランドの数を少なくとも２つとするのは、少なくとも２つの地点において端子の移動を防止することが、電気部品の姿勢のずれを防止するうえで必要だからである。仮にかかる小さな端部ランドを１つだけとした場合、その端部ランドによって移動を防止された端子を中心として、他の３つの端部ランドに対応する端子が回転移動してしまい、電気部品の姿勢のずれを効果的に防止できない。
【００１７】
上記の少なくとも２つの端部ランドの列方向の寸法が、中間ランドの列方向の寸法よりも小さいとよい。このように、端部ランドは、列方向の寸法が中間ランドの列方向の寸法よりも小さいため、溶融状態の鑞上の電気部品の端子がランド群の配列方向に沿って移動することを規制できる。
【００１８】
上記の少なくとも２つの端部ランドの列方向に直交する方向の寸法が、中間ランドの直交する方向の寸法よりも小さいとよい。このように、端部ランドは、列方向に直交する方向の寸法が中間ランドの列方向に直交する方向の寸法よりも小さいため、溶融状態の鑞上の電気部品の端子がランド群の配列方向に直交する方向に沿って移動することを規制できる。
【００１９】
本発明の一実施の形態に係る基板の代表的な構成は、所定の電気部品が表面実装される基板において、基板は、所定の鑞を介して端子を取付可能な２列に配列されたランド群を有し、ランド群は、四隅に位置する４つの端部ランドと、端部ランドを除く複数の中間ランドとを含み、４つの端部ランドのうち少なくとも２つは、中間ランドよりも小さくなっていることを特徴とする。
【００２０】
上述した電気部品実装構造における技術的思想に対応する構成要素やその説明は、当該基板にも適用可能である。すなわち上記構成によれば、電気部品を基板に表面実装する場合に、基板上の電気部品の姿勢のずれを防止できる。
【００２１】
上記の少なくとも２つの端部ランドの列方向の寸法が、中間ランドの列方向の寸法よりも小さいとよい。これにより、溶融状態の鑞上の電気部品の端子がランド群の配列方向に沿って移動することを規制できる。
【００２２】
上記の少なくとも２つの端部ランドの列方向に直交する方向の寸法が、中間ランドの直交する方向の寸法よりも小さいとよい。これにより、溶融状態の鑞上の電気部品の端子がランド群の配列方向に直交する方向に沿って移動することを規制できる。
【実施例】
【００２３】
以下に添付図面を参照しながら、本発明の好適な実施例について詳細に説明する。かかる実施例に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
図１は、本発明の実施例に係る電気部品実装構造を示す図である。電気部品実装構造１００は、車両用の高電圧制御コントローラに適用され、基板１０２と、複数の電気部品（コネクタ１０４ａ〜１０４ｆ）とを備える。ただし、電気部品実装構造１００は、車両用の高電圧制御コントローラに限らず、適宜の電子機器に適用してよい。
【００２５】
基板１０２は、例えば矩形状であって、その対角には位置認識用の印１０６、１０８が付されている。基板１０２は、カメラなどにより読み取られた印１０６、１０８の位置情報に基づいて、搬送装置などによって搬送され、コネクタ１０４ａ〜１０４ｆを実装するための適切な位置に設定される。基板１０２には、適切な位置に設定された状態でコネクタ１０４ａ〜１０４ｆが表面実装される。なお図中では、コネクタ１０４ａ〜１０４ｆは、基板１０２のうち高電圧が印加される部分１１０ではなく、この部分１１０に隣接し高電圧が印加されない部分１１１に実装されている。ただし、これに限られず、コネクタ１０４ａ〜１０４ｆが実装される位置は、各種電子機器に応じて適宜変更可能である。
【００２６】
コネクタ１０４ａ〜１０４ｆは、基板１０２にそれぞれ配列され表面実装されている。配列された４つのコネクタ１０４ａ〜１０４ｄには、例えば矢印Ａおよびその先の一点鎖線で仮想的に示すように、ケーブル１１２を有するソケット１１４が一括で組み付けられる場合がある。また、配列された２つのコネクタ１０４ｅ、１０４ｆには、例えば矢印Ｂおよびその先の一点鎖線で仮想的に示すように、ケーブル１１６を有するソケット１１８が一括で組み付けられる場合がある。
【００２７】
このような場合に、基板１０２に配列され表面実装された個々のコネクタ１０４ａ〜１０４ｆの姿勢が表面実装時にずれてしまうと、ソケット１１４、１１８を一括で組み付けることが困難となる。なお複数のコネクタ１０４ａ〜１０４ｄおよび１０４ｅ、１０４ｆを一括で組み付ける部品としては、ソケット１１４、１１８に限られず、他の部品であってもよい。
【００２８】
そこで本実施例の電気部品実装構造１００では、コネクタ１０４ａ〜１０４ｆを基板１０２に表面実装する場合、基板１０２上の個々のコネクタ１０４ａ〜１０４ｆの姿勢のずれを防止する構成を採用した。
【００２９】
図２は、図１の電気部品実装構造１００の基板１０２の一部１２０を拡大して示す図である。図２では、図１のコネクタ１０４ａを取り除いた状態の基板１０２の一部１２０の表面を示している。
【００３０】
図３は、図２の基板１０２の一部１２０にコネクタ１０４ａが表面実装された状態を示す図である。図３（ａ）、図３（ｂ）は、コネクタ１０４ａが基板１０２の一部１２０に表面実装される際に、矢印Ｄ、Ｅに示す反時計回り、時計回りに回転する場合をそれぞれ示している。
【００３１】
図３に示すコネクタ１０４ａは、基板１０２の一部１２０に向かって延びていて、２列にそれぞれ配列された複数の端子１２２ａ〜１２２ｅおよび端子１２４ａ〜１２４ｅを有する。基板１０２の一部１２０は、図２に示すように、これらの端子１２２ａ〜１２２ｅ、１２４ａ〜１２４ｅに対応して２列に配列されたランド群１２６を有する。
【００３２】
ランド群１２６は、図２に示すように、四隅に位置する４つの端部ランド１３０、１３２、１３４、１３６と、端部ランド１３０、１３２、１３４、１３６を除く複数の中間ランド１３８ａ〜１３８ｃ、１４０ａ〜１４０ｃとを含む。なお中間ランド１３８ａ〜１３８ｃ、１４０ａ〜１４０ｃは、すべて面積の等しいランドである。端部ランド１３０、１３２、１３４、１３６は、すべて面積の等しいランドであって、中間ランド１３８ａ〜１３８ｃ、１４０ａ〜１４０ｃよりも小さくなっている。
【００３３】
図４は、図３（ａ）の電気部品実装構造１００の各断面を示す図である。ランド群１２６には、図４に示す所定の鑞（ここでは、はんだ１２８）を介してコネクタ１０４ａの端子１２２ａ〜１２２ｅ、１２４ａ〜１２４ｅが取付けられ電気的に接続される。なお図中の各断面は、はんだ１２８の位置を分かり易くするために、はんだ１２８の厚みを強調して模式的に示したものである。
【００３４】
図４に示すように基板１０２の一部１２０の内部には、例えばＣｕなどを含む配線用の導電層１４２が形成されている。導電層１４２の表面は、例えばレジストで形成された絶縁層１４４で被覆されている。基板１０２の一部１２０では、ランド群１２６に対応するパターンを有するマスクを用いて、絶縁層１４４をエッチングすることで、図２に示すランド群１２６を形成している。なお本実施例のランド群１２６は、基板１０２の一部１２０に形成されているだけでなく、他のコネクタ１０４ｂ〜１０４ｆが実装される基板表面上にも同様に形成されている。
【００３５】
端部ランド１３０、１３２、１３４、１３６は、図２に鎖線で示す非エッチング領域１４６、１４８、１５０、１５２の大きさの分だけ、複数の中間ランド１３８ａ〜１３８ｃ、１４０ａ〜１４０ｃよりも小さくなっている。なお非エッチング領域１４６、１４８、１５０、１５２とは、絶縁層１４４がエッチングされず残っている領域である。
【００３６】
図２に代表的に示す端部ランド１３０は、列方向の寸法Ｌａが、代表的に示す中間ランド１３８ａの列方向の寸法Ｌｂよりも小さくなっている。さらに端部ランド１３０は、列方向に直交する方向の寸法Ｌｃが、中間ランド１３８ａの列方向に直交する方向の寸法Ｌｄよりも小さくなっている。
【００３７】
ここで、このような基板表面のランド群１２６に、はんだ１２８を用いてコネクタ１０４ａの端子１２２ａ〜１２２ｅ、１２４ａ〜１２４ｅを取付ける場合について説明する。はんだ１２８は、溶融時すなわち固化する前において、液状を保っている。コネクタ１０４ａの端子１２２ａ〜１２２ｅ、１２４ａ〜１２４ｅは、例えば図４（ａ）のＦ−Ｆ断面に模式的に示すように、溶融時のはんだ１２８の上に位置している。このため、端子１２２ａ〜１２２ｅ、１２４ａ〜１２４ｅは、はんだ１２８の溶融時のわずかな時間にランド群１２６の各ランド上を移動する可能性がある。その場合には、ランド群１２６に対するコネクタ１０４ａの姿勢が、正規の姿勢からずれてしまう。
【００３８】
しかし本実施例では、はんだ１２８の溶融時に各ランド上を端子１２２ａ〜１２２ｅ、１２４ａ〜１２４ｅが移動しようとしても、中間ランド１３８ａ〜１３８ｃ、１４０ａ〜１４０ｃよりも小さい端部ランド１３０、１３２、１３４、１３６の境界線（輪郭線）によって直ちにせき止められ、端子１２２ａ〜１２２ｅ、１２４ａ〜１２４ｅの移動範囲が制限される。以下、さらに具体的に説明する。
【００３９】
まず、コネクタ１０４ａが図３（ａ）の矢印Ｄに示す反時計回りに回転しようとする場合について説明する。この場合、図４（ｂ）のＧ−Ｇ断面に模式的に示すように、端子１２２ｅは、端部ランド１３２の境界線１５４に接触し、列方向への移動範囲が制限されている。また図４（ｃ）のＨ−Ｈ断面に模式的に示すように、端子１２２ａは、端部ランド１３０の境界線１５６に接触し、列方向に直交する方向への移動範囲が制限されている。また図３（ａ）に示すように、端子１２４ａは、端部ランド１３４の境界線１５８に接触し、列方向への移動範囲が制限されている。さらに図３（ａ）に示すように、端子１２４ｅは、端部ランド１３６の境界線１６０に接触し、列方向に直交する方向への移動範囲が制限されている。
【００４０】
このようにコネクタ１０４ａが矢印Ｄに示す方向に回転しようとしても、端子１２２ａ〜１２２ｅ、１２４ａ〜１２４ｅの移動範囲は、端部ランド１３０、１３２、１３４、１３６によって制限されている。そのため、電気部品実装構造１００では、図３（ａ）に示すように、コネクタ１０４ａの姿勢が、コネクタ１０４ａの正規の姿勢を示す基準Ｉに対して、領域Ｊに示すようにわずかしかずれていない。
【００４１】
つぎに、コネクタ１０４ａが図３（ｂ）の矢印Ｅに示す時計回りに回転しようとする場合について説明する。この場合、図示のように、端子１２２ａは、端部ランド１３０の境界線１６２に接触し、列方向への移動範囲が制限されている。また、端子１２２ｅは、端部ランド１３２の境界線１６４に接触し、列方向に直交する方向への移動範囲が制限されている。また、端子１２４ｅは、端部ランド１３６の境界線１６６に接触し、列方向への移動範囲が制限されている。さらに、端子１２４ａは、端部ランド１３４の境界線１６８に接触し、列方向に直交する方向への移動範囲が制限されている。
【００４２】
このようにコネクタ１０４ａが矢印Ｅに示す方向に回転しようとしても、端子１２２ａ〜１２２ｅ、１２４ａ〜１２４ｅの移動範囲は、端部ランド１３０、１３２、１３４、１３６によって制限されている。そのため、電気部品実装構造１００では、図３（ｂ）に示すように、コネクタ１０４ａの姿勢が、コネクタ１０４ａの正規の姿勢を示す基準Ｉに対して、領域Ｋに示すようにわずかしかずれていない。
【００４３】
図５は、図２の基板１０２の一部１２０と比較される比較例の基板の一部２００を示す図である。比較例の基板の一部２００は、各ランドがすべて面積の等しいランド群２０２を有する点で、本実施例のランド群１２６を有する基板１０２の一部１２０と異なる。ランド群２０２は、中間ランド１３８ａ〜１３８ｃおよび１４０ａ〜１４０ｃと、端部ランド２０４、２０６、２０８、２１０とを含む。端部ランド２０４、２０６、２０８、２１０はすべて、図示のように、中間ランド１３８ａ〜１３８ｃ、１４０ａ〜１４０ｃと面積が等しい。
【００４４】
図６は、図５の基板の一部２００にコネクタ１０４ａが表面実装された状態を示す図である。比較例において、コネクタ１０４ａが図６（ａ）の矢印Ｄに示す反時計回りに回転しようとする場合、端子１２２ｅは、端部ランド２０６の境界線２１２に接触し、列方向への移動範囲が制限されている。端子１２２ａは、端部ランド２０４の境界線２１４に接触し、列方向への移動範囲が制限されている。端子１２４ａは、端部ランド２０８の境界線２１６に接触し、列方向への移動範囲が制限されている。端子１２４ｅは、端部ランド２１０の境界線２１８に接触し、列方向への移動範囲が制限されている。
【００４５】
このように、コネクタ１０４ａが矢印Ｄに示す方向に回転しようとする場合、端子１２２ａ〜１２２ｅ、１２４ａ〜１２４ｅの移動範囲は、端部ランド２０４、２０６、２０８、２１０によって制限される。しかし、比較例のランド群２０２では、端部ランド２０４、２０６、２０８、２１０が、本実施例のランド群１２６の端部ランド１３０、１３２、１３４、１３６に比べて大きい。
【００４６】
よって、比較例の端部ランド２０４、２０６、２０８、２１０では、本実施例の端部ランド１３０、１３２、１３４、１３６に比べて、端子１２２ａ〜１２２ｅ、１２４ａ〜１２４ｅの移動範囲を制限できない。しかも端部ランド２０４、２０６、２０８、２１０では、端子１２２ａ〜１２２ｅ、１２４ａ〜１２４ｅの列方向に直交する方向への移動範囲を制限し難い。その結果、比較例では、図６（ａ）に示すように、コネクタ１０４ａの姿勢が、コネクタ１０４ａの正規の姿勢を示す基準Ｉに対して、図３（ａ）の領域Ｊに比べ、領域Ｌに示すように大きくずれている。
【００４７】
つぎに、コネクタ１０４ａが図６（ｂ）の矢印Ｅに示す時計回りに回転しようとする場合について説明する。この場合、図示のように、端子１２２ａは、端部ランド２０４の境界線２２０に接触し、列方向への移動範囲が制限されている。端子１２２ｅは、端部ランド２０６の境界線２２２に接触し、列方向への移動範囲が制限されている。端子１２４ｅは、端部ランド２１０の境界線２２４に接触し、列方向への移動範囲が制限されている。端子１２４ａは、端部ランド２０８の境界線２２６に接触し、列方向への移動範囲が制限されている。
【００４８】
このように、コネクタ１０４ａが矢印Ｅに示す方向に回転しようとする場合、端子１２２ａ〜１２２ｅ、１２４ａ〜１２４ｅの移動範囲は、端部ランド２０４、２０６、２０８、２１０によって制限される。しかし、比較例の端部ランド２０４、２０６、２０８、２１０では、本実施例の端部ランド１３０、１３２、１３４、１３６に比べて、端子１２２ａ〜１２２ｅ、１２４ａ〜１２４ｅの移動範囲を制限できない。しかも端部ランド２０４、２０６、２０８、２１０では、端子１２２ａ〜１２２ｅ、１２４ａ〜１２４ｅの列方向に直交する方向への移動範囲を制限し難い。その結果、比較例では、図６（ｂ）に示すように、コネクタ１０４ａの姿勢が、コネクタ１０４ａの正規の姿勢を示す基準Ｉに対して、領域Ｍに示すように大きくずれている。
【００４９】
これに対して例えば図３（ｂ）の本実施例では、４つの端部ランド１３０、１３２、１３４、１３６が、中間ランド１３８ａ〜１３８ｃ、１４０ａ〜１４０ｃよりも小さいことで、領域Ｋに示すように、はんだ１２８の溶融時における端子１２２ａ〜１２２ｅ、１２４ａ〜１２４ｅの移動範囲を制限できる。したがって、電気部品実装構造１００によれば、コネクタ１０４ａ〜１０４ｆを基板１０２に表面実装する場合に、基板１０２上のコネクタ１０４ａ〜１０４ｆの姿勢のずれを防止できる。このため、図１に示すコネクタ１０４ａ〜１０４ｄおよび１０４ｅ、１０４ｆを、一括でソケット１１４、１１８に組み付けることができる。
【００５０】
また本実施例では、端部ランド１３０、１３２、１３４、１３６の列方向の寸法が中間ランド１３８ａ〜１３８ｃ、１４０ａ〜１４０ｃの列方向の寸法よりも小さい。このため、電気部品実装構造１００によれば、溶融状態のはんだ１２８上のコネクタ１０４ａの端子１２２ａ〜１２２ｅ、１２４ａ〜１２４ｅがランド群１２６の配列方向に沿って移動することを規制できる。
【００５１】
さらに本実施例では、端部ランド１３０、１３２、１３４、１３６の列方向に直交する方向の寸法が中間ランド１３８ａ〜１３８ｃ、１４０ａ〜１４０ｃの直交する方向の寸法よりも小さい。このため、電気部品実装構造１００によれば、溶融状態のはんだ１２８上のコネクタ１０４ａの端子１２２ａ〜１２２ｅ、１２４ａ〜１２４ｅがランド群１２６の配列方向に直交する方向に沿って移動することを規制できる。
【００５２】
上記実施例では、４つの端部ランド１３０、１３２、１３４、１３６をすべて中間ランド１３８ａ〜１３８ｃ、１４０ａ〜１４０ｃよりも小さくしたが、これに限定されない。一例として、中間ランド１３８ａ〜１３８ｃ、１４０ａ〜１４０ｃよりも小さい端部ランド１３０、１３２、１３４、１３６の数は、少なくとも２つであればよい。
【００５３】
図７は、図２の基板１０２の一部１２０の変形例を示す図である。図７（ａ）に示す基板の一部１２０Ａは、ランド群１２６Ａを有する。ランド群１２６Ａは、中間ランド１３８ａ〜１３８ｃ、１４０ａ〜１４０ｃよりも小さい３つの端部ランド１３０、１３２、１３４と、中間ランド１３８ａ〜１３８ｃ、１４０ａ〜１４０ｃと面積が等しい端部ランド１３６Ａとを含む。このようなランド群１２６Ａであっても、端部ランド１３０、１３２、１３４のそれぞれの境界線１５６、１６２、１５４、１６４、１５８、１６８によって、コネクタ１０４ａの姿勢のずれを防止できる。
【００５４】
図７（ｂ）に示す基板の一部１２０Ｂは、ランド群１２６Ｂを有する。ランド群１２６Ｂは、中間ランド１３８ａ〜１３８ｃ、１４０ａ〜１４０ｃよりも小さい２つの端部ランド１３０、１３２と、中間ランド１３８ａ〜１３８ｃ、１４０ａ〜１４０ｃと面積が等しい端部ランド１３４Ａ、１３６Ａとを含む。
【００５５】
ランド群１２６Ｂでは、コネクタ１０４ａが図３（ａ）の矢印Ｄに示す方向に回転しようとすると、端子１２２ｅが端部ランド１３２の境界線１５４に接触し、列方向への移動範囲が制限される。また端子１２２ａは、端部ランド１３０の境界線１５６に接触し、列方向に直交する方向への移動範囲が制限される。
【００５６】
またコネクタ１０４ａが図３（ｂ）の矢印Ｅに示す方向に回転しようとすると、端子１２２ａは、端部ランド１３０の境界線１６２に接触し、列方向への移動範囲が制限される。また端子１２２ｅは、端部ランド１３２の境界線１６４に接触し、列方向に直交する方向への移動範囲が制限される。
【００５７】
したがって、このようなランド群１２６Ｂであっても、端部ランド１３０、１３２のそれぞれの境界線１５６、１６２、１５４、１６４によって、コネクタの姿勢のずれを防止できる。
【００５８】
図７（ｃ）に示す基板の一部１２０Ｃは、ランド群１２６Ｃを有する。ランド群１２６Ｃは、中間ランド１３８ａ〜１３８ｃ、１４０ａ〜１４０ｃよりも小さい２つの端部ランド１３０、１３６Ｂと、中間ランド１３８ａ〜１３８ｃ、１４０ａ〜１４０ｃと面積が等しい端部ランド１３２Ａ、１３４Ａとを含む。端部ランド１３０、１３６Ｂは、図示のように対角に配置されている。端部ランド１３６Ｂは、非エッチング領域１５２Ａの大きさの分だけ中間ランド１３８ａ〜１３８ｃ、１４０ａ〜１４０ｃよりも小さく、境界線１７０、１７１を有する。
【００５９】
ランド群１２６Ｃでは、コネクタ１０４ａが図３（ａ）の矢印Ｄに示す方向に回転しようとすると、端子１２４ｅが端部ランド１３６Ｂの境界線１７０に接触し、列方向への移動範囲が制限される。また端子１２２ａは、端部ランド１３０の境界線１５６に接触し、列方向に直交する方向への移動範囲が制限される。
【００６０】
またコネクタ１０４ａが図３（ｂ）の矢印Ｅに示す方向に回転しようとすると、端子１２２ａは、端部ランド１３０の境界線１６２に接触し、列方向への移動範囲が制限される。また端子１２４ｅは、端部ランド１３６Ｂの境界線１７１に接触し、列方向に直交する方向への移動範囲が制限される。
【００６１】
したがって、このようなランド群１２６Ｃであっても、端部ランド１３０、１３６Ｂのそれぞれの境界線１５６、１６２、１７０、１７１によって、コネクタ１０４ａの姿勢のずれを防止できる。
【００６２】
なお中間ランド１３８ａ〜１３８ｃ、１４０ａ〜１４０ｃよりも小さい端部ランドの数を少なくとも２つとすることで、少なくとも２つの地点において端子１２２ａ〜１２２ｅ、１２４ａ〜１２４ｅの移動を防止し、コネクタ１０４ａの姿勢のずれを防止できる。仮にかかる小さな端部ランドを１つだけとした場合、この１つの端部ランドによって移動を防止された１つの端子を中心として、他の３つの端部ランドに対応する端子が回転移動してしまう。その結果、コネクタ１０４ａの姿勢のずれを効果的に防止することが困難となる。
【００６３】
図８は、図２の基板１０２の一部１２０の他の変形例を示す図である。ここで他の変形例は、本実施例のランド群１２６と同様に、４つの端部ランドがすべて、中間ランド１３８ａ〜１３８ｃ、１４０ａ〜１４０ｃよりも小さくなっている。また他の変形例では、非エッチング領域の位置がそれぞれ異なることで、各種端部ランドを組み合わせたランド群１２０Ｄ、１２０Ｅ、１２０Ｆをそれぞれ示している。
【００６４】
図８（ａ）に示す基板の一部１２０Ｄは、ランド群１２６Ｄを有する。ランド群１２６Ｄは、端部ランド１３０Ａ、１３２、１３４Ｂ、１３６と、中間ランド１３８ａ〜１３８ｃ、１４０ａ〜１４０ｃとを含む。端部ランド１３０Ａは、非エッチング領域１４６Ａの大きさの分だけ中間ランド１３８ａ〜１３８ｃ、１４０ａ〜１４０ｃよりも小さく、境界線１７２、１７３を有する。端部ランド１３４Ｂは、非エッチング領域１５０Ａの大きさの分だけ中間ランド１３８ａ〜１３８ｃ、１４０ａ〜１４０ｃよりも小さく、境界線１７４、１７５を有する。
【００６５】
ランド群１２６Ｄでは、コネクタ１０４ａが図３（ａ）の矢印Ｄに示す方向に回転しようとすると、端子１２２ｅが端部ランド１３２の境界線１５４に接触し、列方向への移動範囲が制限される。端子１２２ａは、端部ランド１３０Ａの境界線１７３に接触し、列方向に直交する方向への移動範囲が制限される。端子１２４ｅは、端部ランド１３６の境界線１６０に接触し、列方向に直交する方向への移動範囲が制限されている。
【００６６】
またコネクタ１０４ａが図３（ｂ）の矢印Ｅに示す方向に回転しようとすると、端子１２２ｅは、端部ランド１３２の境界線１６４に接触し、列方向に直交する方向への移動範囲が制限される。端子１２４ｅは、端部ランド１３６の境界線１６６に接触し、列方向への移動範囲が制限される。端子１２４ａは、端部ランド１３４Ｂの境界線１７５に接触し、列方向に直交する方向への移動範囲が制限される。したがって、このようなランド群１２６Ｄであっても、コネクタ１０４ａの姿勢のずれを防止できる。
【００６７】
図８（ｂ）に示す基板の一部１２０Ｅは、ランド群１２６Ｅを有する。ランド群１２６Ｅは、端部ランド１３０Ｂ、１３２Ｂ、１３４Ｃ、１３６Ｃと、中間ランド１３８ａ〜１３８ｃ、１４０ａ〜１４０ｃとを含む。端部ランド１３０Ｂは、非エッチング領域１４６Ｂの大きさの分だけ中間ランド１３８ａ〜１３８ｃ、１４０ａ〜１４０ｃよりも小さく、境界線１７６、１７７を有する。
【００６８】
端部ランド１３２Ｂは、非エッチング領域１４８Ａの大きさの分だけ中間ランド１３８ａ〜１３８ｃ、１４０ａ〜１４０ｃよりも小さく、境界線１７８、１７９を有する。端部ランド１３４Ｃは、非エッチング領域１５０Ｂの大きさの分だけ中間ランド１３８ａ〜１３８ｃ、１４０ａ〜１４０ｃよりも小さく、境界線１８０、１８１を有する。端部ランド１３６Ｃは、非エッチング領域１５２Ｂの大きさの分だけ中間ランド１３８ａ〜１３８ｃ、１４０ａ〜１４０ｃよりも小さく、境界線１８２、１８３を有する。
【００６９】
ランド群１２６Ｅでは、コネクタ１０４ａが図３（ａ）の矢印Ｄに示す方向に回転しようとすると、端子１２２ｅが端部ランド１３２Ｂの境界線１７８に接触し、列方向への移動範囲が制限される。端子１２２ａは、端部ランド１３０Ｂの境界線１７６に接触し、列方向への移動範囲が制限される。端子１２４ａは、端部ランド１３４Ｃの境界線１８１に接触し、列方向に直交する方向への移動範囲が制限されている。
【００７０】
またコネクタ１０４ａが図３（ｂ）の矢印Ｅに示す方向に回転しようとすると、端子１２２ａは、端部ランド１３６Ｂの境界線１７７に接触し、列方向に直交する方向への移動範囲が制限される。端子１２４ｅは、端部ランド１３６Ｃの境界線１８２に接触し、列方向への移動範囲が制限される。端子１２４ａは、端部ランド１３４Ｃの境界線１８０に接触し、列方向への移動範囲が制限される。したがって、このようなランド群１２６Ｅであっても、コネクタ１０４ａの姿勢のずれを防止できる。
【００７１】
図８（ｃ）に示す基板の一部１２０Ｆは、ランド群１２６Ｆを有する。ランド群１２６Ｆは、端部ランド１３０Ｃ、１３２Ｃ、１３４Ｄ、１３６Ｂと、中間ランド１３８ａ〜１３８ｃ、１４０ａ〜１４０ｃとを含む。端部ランド１３０Ｃは、非エッチング領域１４６Ｃの大きさの分だけ中間ランド１３８ａ〜１３８ｃ、１４０ａ〜１４０ｃよりも小さく、境界線１８４、１８５を有する。
【００７２】
端部ランド１３２Ｃは、非エッチング領域１４８Ｂの大きさの分だけ中間ランド１３８ａ〜１３８ｃ、１４０ａ〜１４０ｃよりも小さく、境界線１８６、１８７を有する。端部ランド１３４Ｄは、非エッチング領域１５０Ｃの大きさの分だけ中間ランド１３８ａ〜１３８ｃ、１４０ａ〜１４０ｃよりも小さく、境界線１８８、１８９を有する。
【００７３】
ランド群１２６Ｆでは、コネクタ１０４ａが図３（ａ）の矢印Ｄに示す方向に回転しようとすると、端子１２２ｅが端部ランド１３２Ｃの境界線１８７に接触し、列方向に直交する方向への移動範囲が制限される。端子１２４ａは、端部ランド１３４Ｄの境界線１８９に接触し、列方向に直交する方向への移動範囲が制限される。端子１２４ｅは、端部ランド１３６Ｂの境界線１７０に接触し、列方向への移動範囲が制限されている。
【００７４】
またコネクタが図３（ｂ）の矢印Ｅに示す方向に回転しようとすると、端子１２２ａは、端部ランド１３０Ｃの境界線１８５に接触し、列方向に直交する方向への移動範囲が制限される。端子１２２ｅは、端部ランド１３２Ｃの境界線１８６に接触し、列方向への移動範囲が制限される。端子１２４ｅは、端部ランド１３６Ｂの境界線１７１に接触し、列方向に直交する方向への移動範囲が制限される。したがって、このようなランド群１２６Ｆであっても、コネクタ１０４ａの姿勢のずれを防止できる。
【００７５】
また上記実施形態および変形例において、各端部ランドとしては、中間ランド１３８ａ〜１３８ｃ、１４０ａ〜１４０ｃに比べて列方向の寸法だけでなく、列方向に直交する方向の寸法も小さい例を示したが、これに限定されない。すなわち、各端部ランドは、列方向の寸法および列方向に直交する方向の寸法のいずれか一方のみが、中間ランド１３８ａ〜１３８ｃ、１４０ａ〜１４０ｃに比べて小さくなるようにしてもよい。このような場合であっても、各端部ランドによって、端子１２２ａ〜１２２ｅ、１２４ａ〜１２４ｅの列方向または列方向に直交する方向への移動範囲を制限でき、基板１０２上のコネクタ１０４ａ〜１０４ｆの姿勢のずれを防止できる。
【００７６】
なお各端部ランドは、その面積により流れることが可能な電気量が変化する。そのため、各端部ランドの列方向および列方向に直交する各寸法は、中間ランド１２２ａ〜１２２ｅ、１２４ａ〜１２４ｅよりも小さくしながら、はんだ１２８による接続が可能な最小限の寸法よりも大きく設定される。このように各寸法を設定することで、各端部ランドに所定の電気量が流れることを可能とする。
【００７７】
また各端部ランドの各寸法を、はんだ１２８による接続が可能な最小限の寸法よりも大きく設定することで、電気量の確保だけでなく、はんだ接合強度を確保することもできる。以下、図９および図１０を参照して具体的に説明する。
【００７８】
図９は、図３のコネクタ１０４ａの端子１２２ａと基板１０２の一部１２０とのはんだ１２８による接合状態を示す図である。図９（ａ）は、コネクタ１０４ａが基板１０２の一部１２０に表面実装される際に、反時計回りや時計回りに回転しなかった場合での、図４（ｃ）のＨ−Ｈ断面に対応させて示した断面図である。図９（ｂ）は、図９（ａ）の一部を拡大して示す図である。
【００７９】
図９（ａ）に示すはんだ１２８は、コネクタ１０４ａの端子１２２ａと端部ランド１３０の境界線１５６との間でフィレット１２８Ａを形成している。フィレット１２８Ａは、図９（ｂ）に示すように、末広がり形状を有し十分に形成されている。このため、端部ランド１３０と端子１２２ａとは、はんだ１２８によって十分なはんだ接合強度を確保した状態で接合されている。
【００８０】
図１０は、図９の端部ランド１３０と比較される比較例の端部ランド３００を示す図である。比較例の端部ランド３００は、図１０（ａ）に示すように、端部ランド１３０よりも寸法が小さく設定されている。このため、比較例では、コネクタ１０４ａの端子１２２ａと端部ランド３００の境界線３０２との間隔が、図９に示す端子１２２ａと端部ランド１３０の境界線１５６との間隔よりも小さくなっている。
【００８１】
図１０（ａ）に示すはんだ１２８は、コネクタ１０４ａの端子１２２ａと端部ランド３００の境界線３０２との間でフィレット１２８Ｂを形成している。しかしフィレット１２８Ｂは、図１０（ｂ）に示すように、フィレット１２８Ａに比べて十分な末広がり形状を形成できていない。このため、端部ランド３００と端子１２２ａとは、はんだ接合強度が低下した状態で接合されてしまう。
【００８２】
これに対して上記実施形態および変形例では、各端部ランドの各寸法を、中間ランド１２２ａ〜１２２ｅ、１２４ａ〜１２４ｅよりも小さくしながらも、ある程度の大きさに適宜設定することで、はんだ接合強度を十分に確保している。
【００８３】
また上記実施例および変形例において、仮に上記各端部ランドを中間ランド１２２ａ〜１２２ｅ、１２４ａ〜１２４ｅと同じ大きさにした場合、各ランド群１２６〜１２６Ｆは、２列に配列され、各列において等間隔に配置された、すべて等しい面積を有するランド群となる。本発明は、このような典型的なランド群を出発点とし、少なくとも２つの端部ランドを小さくすることで、コネクタ１０４ａ〜１０４ｆの姿勢のずれを防止するものである。ただし、本発明が典型的なランド群を出発点として想到されていても、本発明は上記のランド群に基づく構造に限定されない。すなわち本発明の技術的範囲に属する電気部品実装構造１００および基板１０２は、必ずしも各ランドが等間隔に配置され、あるいは各ランドの面積が等しいランド群に限られず、各ランドが等間隔に配置されず、面積も等しくないランド群にも適用可能である。
【００８４】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８５】
本発明は、電気部品実装構造および基板に利用することができる。
【符号の説明】
【００８６】
１００…電気部品実装構造、１０２…基板、１０４ａ〜１０４ｆ…コネクタ、１０６、１０８…位置認識用の印、１１０、１１１…基板の部分、１１２、１１６…ケーブル、１１４、１１８…ソケット、１２０、１２０Ａ〜１２０Ｆ…基板の一部、１２２ａ〜１２２ｅ、１２４ａ〜１２４ｅ…端子、１２６、１２６Ａ〜１２６Ｆ…ランド群、１２８…はんだ、１２８Ａ、１２８Ｂ…フィレット、１３０、１３０Ａ〜１３０Ｃ、１３２、１３２Ａ〜１３２Ｃ、１３４、１３４Ａ〜１３４Ｄ、１３６、１３６Ａ〜１３６Ｃ…端部ランド、１３８ａ〜１３８ｃ、１４０ａ〜１４０ｃ…中間ランド、１４２…導電層、１４４…絶縁層、１４６、１４６Ａ〜１４６Ｃ、１４８、１４８Ａ、１４８Ｂ、１５０、１５０Ａ〜１５０Ｃ、１５２、１５２Ａ、１５２Ｂ…非エッチング領域、１５４、１５６、１５８、１６０、１６２、１６４、１６６、１６８、１７１〜１８９…境界線
【図１】
2018098277.tif 000003
【図２】
2018098277.tif 000004
【図３】
2018098277.tif 000005
【図４】
2018098277.tif 000006
【図５】
2018098277.tif 000007
【図６】
2018098277.tif 000008
【図７】
2018098277.tif 000009
【図８】
2018098277.tif 000010
【図９】
2018098277.tif 000011
【図１０】
2018098277.tif 000012